(57)【特許請求の範囲】
【請求項１】
画像を無電源状態で表示保持し且つ当該画像を書換え可能な表示部と、自己に関連付けられた電子文書を識別する文書識別情報の格納領域を有する記憶部と、を設けた表示保持媒体と、
前記表示保持媒体の提示先として定められた位置であって、前記表示部に画像を書き込み可能で且つ前記記憶部から有線又は無線の通信により情報を読み取り可能な所定位置に前記表示保持媒体が提示されたことに応じて、当該表示保持媒体の前記記憶部から前記文書識別情報の読み取りを行う読取手段と、
前記読取手段による前記文書識別情報の読み取り結果に基づいて、前記所定位置に存する前記表示保持媒体に関連付けられた電子文書の特定を行う特定手段と、
前記特定手段により特定された電子文書中の先頭から所定数のページを、前記所定位置に存する前記表示保持媒体への書込対象とする制御を行う制御手段と、
前記制御手段による制御に従って、書込対象のページの画像を、前記所定位置に存する前記表示保持媒体の前記表示部に書き込む書込手段と、
前記書込手段により前記所定位置に存する前記表示保持媒体に書き込まれた電子文書中のページに後続するページを特定する制御情報を記憶する記憶手段と、
を備え、
前記記憶部に前記文書識別情報が格納されていない前記表示保持媒体が前記所定位置に提示され、前記読取手段において当該表示記憶媒体から前記文書識別情報を読み取れず、前記特定手段において当該表示記憶媒体に関連付けられた電子文書を特定できない場合に、前記制御手段は、前記記憶手段に記憶されている前記制御情報に基づいて、当該制御情報に該当する電子文書中の書込済のページに後続する所定数のページを書込対象とする制御を行うことを特徴とする書込制御システム。
【請求項２】
前記読取手段と前記書込手段とを有する書込装置が、前記特定手段と前記制御手段と前記記憶手段とを備えたことを特徴とする請求項１に記載の書込制御システム。
【請求項３】
前記読取手段と前記書込手段とを有する書込装置と、前記特定手段と前記制御手段と前記記憶手段とを有する管理装置と、を備え、
前記管理装置は、前記書込装置を識別する装置識別情報と対応付けて前記制御情報を前記記憶手段に記憶しており、
前記制御手段は、前記書込装置が所定位置に提示された前記表示記憶媒体から前記文書識別情報を読み取れず、前記特定手段において当該表示保持媒体に関連付けられた電子文書を特定できない場合に、当該書込装置の装置識別情報と対応付けられた前記制御情報に基づいて、当該制御情報に該当する電子文書中の書込済のページに後続する所定数のページを、当該書込装置による前記所定位置に存する前記表示保持媒体への書込対象とする制御を行うことを特徴とする請求項１に記載の書込制御システム。
【請求項４】
前記表示保持媒体の前記記憶部は、自己に関連付けられた電子文書中のページ画像の表示形式を特定する表示形式情報の格納領域を有し、
前記読取手段は、前記所定位置に存する前記表示保持媒体の前記記憶部から前記表示形式情報の読み取りを更に行い、
前記特定手段は、前記読取手段による前記表示形式情報の読み取り結果に基づいて、前記所定位置に存する前記表示保持媒体に関連付けられた電子文書中のページ画像の表示形式の特定を更に行い、
前記制御手段は、前記所定位置に存する前記表示保持媒体について特定される表示形式を、当該表示保持媒体に関連付けられた電子文書中のページの画像の表示形式とする制御を行うことを特徴とする請求項１乃至請求項３のいずれか１項に記載の書込制御システム。
【請求項５】
前記制御手段は、書込対象に係る電子文書中に、前記所定位置に存する前記表示保持媒体へのページの画像書込後においても未書込のページが存在する場合に、未書込のページの存在を示す画像を、前記所定位置に存する前記表示保持媒体への書込対象のページの画像に含めることを特徴とする請求項１乃至請求項４のいずれか１項に記載の書込制御システム。
【請求項６】
前記制御手段は、前記所定位置に存する前記表示保持媒体に電子文書が関連付けられているか否かを示す画像を、当該表示保持媒体への書込対象のページ画像に含めることを特徴とする請求項１乃至請求項５のいずれか１項に記載の書込制御システム。
【請求項７】
画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行う読取手段と、
前記読取手段による前記文書識別情報の読み取り結果に基づいて、前記所定位置に存する前記表示保持媒体に関連付けられた電子文書の特定を行う特定手段と、
前記特定手段により特定された電子文書中の先頭から所定数のページを、前記所定位置に存する前記表示保持媒体への書込対象とする制御を行う制御手段と、
前記制御手段による制御に従って、書込対象のページの画像を、前記所定位置に存する前記表示保持媒体の前記表示部に書き込む書込手段と、
前記書込手段により前記所定位置に存する前記表示保持媒体に書き込まれた電子文書中のページに後続するページを特定する制御情報を記憶する記憶手段と、
を備え、
前記記憶部に前記文書識別情報が格納されていない前記表示保持媒体が前記所定位置に提示され、前記読取手段において当該表示記憶媒体から前記文書識別情報を読み取れず、前記特定手段において当該表示記憶媒体に関連付けられた電子文書を特定できない場合に、前記制御手段は、前記記憶手段に記憶されている前記制御情報に基づいて、当該制御情報に該当する電子文書中の書込済のページに後続する所定数のページを書込対象とする制御を行うことを特徴とする書込装置。
【請求項８】
画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行い、当該文書識別情報の読み取り結果に基づいて、書込対象となる電子文書中のページの画像を当該表示保持媒体の前記表示部に書き込む書込装置と通信する通信手段と、
前記書込装置により前記所定位置に存する前記表示保持媒体の前記記憶部から読み取られた文書識別情報に基づいて、当該表示保持媒体に関連付けられた電子文書の特定を行う特定手段と、
前記特定手段により特定された電子文書中の先頭から所定数のページを、前記書込み装置による前記所定位置に存する前記表示保持媒体への書込対象とする制御を行う制御手段と、
前記書込装置により前記所定位置に存する前記表示保持媒体に書き込まれた電子文書中のページに後続するページを特定する制御情報を、当該書込装置を識別する装置識別情報と対応付けて記憶する記憶手段と、
を備え、
前記記憶部に前記文書識別情報が格納されていない前記表示保持媒体が前記書込装置の前記所定位置に提示され、前記書込装置において当該表示記憶媒体から前記文書識別情報を読み取れず、前記特定手段において当該表示記憶媒体に関連付けられた電子文書を特定できない場合に、前記制御手段は、前記記憶手段に当該書込装置の装置識別情報と対応付けて記憶されている前記制御情報に基づいて、当該制御情報に該当する電子文書中の書込済のページに後続する所定数のページを、当該書込装置による前記所定位置に存する前記表示保持媒体への書込対象とする制御を行うことを特徴とする管理装置。
【請求項９】
画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行う読取手段と、当該文書識別情報の読み取り結果に基づいて、書込対象となる電子文書中のページの画像を当該表示保持媒体の前記表示部に書き込む書込手段と、を備えた書込装置のコンピュータに、
前記読取手段による前記文書識別情報の読み取り結果に基づいて、前記所定位置に存する前記表示保持媒体に関連付けられた電子文書の特定を行う特定機能と、
前記特定手段により特定された電子文書中の先頭から所定数のページを、前記所定位置に存する前記表示保持媒体への書込対象とする制御を行う制御機能と、
前記書込手段により前記所定位置に存する前記表示保持媒体に書き込まれた電子文書中のページに後続するページを特定する制御情報を記憶する記憶機能と、
を実現させるためのプログラムであって、
前記記憶部に前記文書識別情報が格納されていない前記表示保持媒体が前記所定位置に提示され、前記読取手段において当該表示記憶媒体から前記文書識別情報を読み取れず、前記特定機能において当該表示記憶媒体に関連付けられた電子文書を特定できない場合に、前記制御機能は、前記記憶機能により記憶されている前記制御情報に基づいて、当該制御情報に該当する電子文書中の書込済のページに後続する所定数のページを書込対象とする制御を行うことを特徴とするプログラム。
【請求項１０】
画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行い、当該文書識別情報の読み取り結果に基づいて、書込対象となる電子文書中のページの画像を当該表示保持媒体の前記表示部に書き込む書込装置と通信する管理装置のコンピュータに、
前記書込装置により前記所定位置に存する前記表示保持媒体の前記記憶部から読み取られた文書識別情報に基づいて、当該表示保持媒体に関連付けられた電子文書の特定を行う特定機能と、
前記特定手段により特定された電子文書中の先頭から所定数のページを、前記書込み装置による前記所定位置に存する前記表示保持媒体への書込対象とする制御を行う制御機能と、
前記書込装置により前記所定位置に存する前記表示保持媒体に書き込まれた電子文書中のページに後続するページを特定する制御情報を、当該書込装置を識別する装置識別情報と対応付けて記憶する記憶機能と、
を実現させるためのプログラムであって、
前記記憶部に前記文書識別情報が格納されていない前記表示保持媒体が前記書込装置の前記所定位置に提示され、前記書込装置において当該表示記憶媒体から前記文書識別情報を読み取れず、前記特定機能において当該表示記憶媒体に関連付けられた電子文書を特定できない場合に、前記制御機能は、前記記憶機能により当該書込装置の装置識別情報と対応付けて記憶されている前記制御情報に基づいて、当該制御情報に該当する電子文書中の書込済のページに後続する所定数のページを、当該書込装置による前記所定位置に存する前記表示保持媒体への書込対象とする制御を行うことを特徴とするプログラム。
【発明の詳細な説明】
【技術分野】
【０００１】
本発明は、書込制御システム、書込装置、管理装置、及びプログラムに関する。
【背景技術】
【０００２】
画像を無電源状態で表示保持し且つ当該文書画像を書換え可能な表示保持媒体（いわゆる「電子ペーパ」）が実用化されており、紙に代わる表示媒体として利用拡大が望まれている。
電子ペーパには画像の書込方式で種々な形式があり、例えば、２次元投影型光書込方式の電子ペーパでは書込装置により画像を投影することで電子ペーパに画像を表示保持させ、また、電子書込方式の電子ペーパでは書込装置により電子データで画像を書き込むことで電子ペーパに画像を表示保持させるようにしている。
いずれの形式の電子ペーパにあっても、電子ペーパは表示した画像を持ち運ぶことが容易であるので、モバイル環境で画像を表示する媒体として有用なものである。
【０００３】
ここで、紙や電子ペーパ等の媒体による画像表示に関して、従来より種々の発明が提案されている。
例えば、識別コードが予め付加された用紙を印刷装置に給紙すると、当該識別コードに対応する画像情報を当該用紙に印刷する（特許文献１参照）。例えば、電子データに基づいてドキュメント画像を電子ペーパに表示保持させる処理に応答して、当該電子データを当該電子ペーパーと対応付けてサーバに登録管理させる（特許文献２参照）。例えば、表示するコンテンツのデータ量及び表示媒体の表示量または枚数に応じて、表示媒体に対する書込態様を制御する（特許文献３参照）。例えば、ＩＤコードが記憶されている情報表示媒体に印刷されているコンテンツ情報と、ＩＤコードとコンテンツ情報との対応関係とを記憶手段に記憶しておき、情報表示媒体から読み取ったＩＤコードに基づいて記憶手段からコンテンツ情報を検索する（特許文献４参照）。例えば、表示媒体から読み取ったコンテンツ情報を当該表示媒体と関連させて管理する（特許文献５参照）。
【特許文献１】特開２００３−２８８１７８号公報
【特許文献２】特開２００５−３４６５９９号公報
【特許文献３】特開２００４−２８６９５２号公報
【特許文献４】特開２００６−０５３６８６号公報
【特許文献５】特開２００４−３１８８３４号公報
【発明の開示】
【発明が解決しようとする課題】
【０００４】
本発明は、複数のページを含む電子文書を表示保持媒体に書込表示させる場合における利用者の作業負担を軽減することを目的としている。
【課題を解決するための手段】
【０００５】
請求項１に記載の本発明は、画像を無電源状態で表示保持し且つ当該画像を書換え可能な表示部と、自己に関連付けられた電子文書を識別する文書識別情報の格納領域を有する記憶部と、を設けた表示保持媒体と、前記表示保持媒体の提示先として定められた位置であって、前記表示部に画像を書き込み可能で且つ前記記憶部から有線又は無線の通信により情報を読み取り可能な所定位置に前記表示保持媒体が提示されたことに応じて、当該表示保持媒体の前記記憶部から前記文書識別情報の読み取りを行う読取手段と、前記読取手段による前記文書識別情報の読み取り結果に基づいて、前記所定位置に存する前記表示保持媒体に関連付けられた電子文書の特定を行う特定手段と、前記特定手段により特定された電子文書中の先頭から所定数のページを、前記所定位置に存する前記表示保持媒体への書込対象とする制御を行う制御手段と、前記制御手段による制御に従って、書込対象のページの画像を、前記所定位置に存する前記表示保持媒体の前記表示部に書き込む書込手段と、前記書込手段により前記所定位置に存する前記表示保持媒体に書き込まれた電子文書中のページに後続するページを特定する制御情報を記憶する記憶手段と、を備え、前記記憶部に前記文書識別情報が格納されていない前記表示保持媒体が前記所定位置に提示され、前記読取手段において当該表示記憶媒体から前記文書識別情報を読み取れず、前記特定手段において当該表示記憶媒体に関連付けられた電子文書を特定できない場合に、前記制御手段は、前記記憶手段に記憶されている前記制御情報に基づいて、当該制御情報に該当する電子文書中の書込済のページに後続する所定数のページを書込対象とする制御を行うことを特徴とする書込制御システムである。
【０００７】
請求項２に記載の本発明は、請求項１に記載の書込制御システムにおいて、前記読取手段と前記書込手段とを有する書込装置が、前記特定手段と前記制御手段と前記記憶手段とを備えたことを特徴とする。
【０００８】
請求項３に記載の本発明は、請求項１に記載の書込制御システムにおいて、前記読取手段と前記書込手段とを有する書込装置と、前記特定手段と前記制御手段と前記記憶手段とを有する管理装置と、を備え、前記管理装置は、前記書込装置を識別する装置識別情報と対応付けて前記制御情報を前記記憶手段に記憶しており、前記制御手段は、前記書込装置が所定位置に提示された前記表示記憶媒体から前記文書識別情報を読み取れず、前記特定手段において当該表示保持媒体に関連付けられた電子文書を特定できない場合に、当該書込装置の装置識別情報と対応付けられた前記制御情報に基づいて、当該制御情報に該当する電子文書中の書込済のページに後続する所定数のページを、当該書込装置による前記所定位置に存する前記表示保持媒体への書込対象とする制御を行うことを特徴とする。
【０００９】
請求項４に記載の本発明は、請求項１乃至請求項３のいずれか１項に記載の書込制御システムにおいて、前記表示保持媒体の前記記憶部は、自己に関連付けられた電子文書中のページ画像の表示形式を特定する表示形式情報の格納領域を有し、前記読取手段は、前記所定位置に存する前記表示保持媒体の前記記憶部から前記表示形式情報の読み取りを更に行い、前記特定手段は、前記読取手段による前記表示形式情報の読み取り結果に基づいて、前記所定位置に存する前記表示保持媒体に関連付けられた電子文書中のページ画像の表示形式の特定を更に行い、前記制御手段は、前記所定位置に存する前記表示保持媒体について特定される表示形式を、当該表示保持媒体に関連付けられた電子文書中のページの画像の表示形式とする制御を行うことを特徴とする。
【００１０】
請求項５に記載の本発明は、請求項１乃至請求項４のいずれか１項に記載の書込制御システムにおいて、前記制御手段は、書込対象に係る電子文書中に、前記所定位置に存する前記表示保持媒体へのページの画像書込後においても未書込のページが存在する場合に、未書込のページの存在を示す画像を、前記所定位置に存する前記表示保持媒体への書込対象のページの画像に含めることを特徴とする。
【００１１】
請求項６に記載の本発明は、請求項１乃至請求項５のいずれか１項に記載の書込制御システムにおいて、前記制御手段は、前記所定位置に存する前記表示保持媒体に電子文書が関連付けられているか否かを示す画像を、当該表示保持媒体への書込対象のページ画像に含めることを特徴とする。
【００１２】
請求項７に記載の本発明は、画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行う読取手段と、前記読取手段による前記文書識別情報の読み取り結果に基づいて、前記所定位置に存する前記表示保持媒体に関連付けられた電子文書の特定を行う特定手段と、前記特定手段により特定された電子文書中の先頭から所定数のページを、前記所定位置に存する前記表示保持媒体への書込対象とする制御を行う制御手段と、前記制御手段による制御に従って、書込対象のページの画像を、前記所定位置に存する前記表示保持媒体の前記表示部に書き込む書込手段と、前記書込手段により前記所定位置に存する前記表示保持媒体に書き込まれた電子文書中のページに後続するページを特定する制御情報を記憶する記憶手段と、を備え、前記記憶部に前記文書識別情報が格納されていない前記表示保持媒体が前記所定位置に提示され、前記読取手段において当該表示記憶媒体から前記文書識別情報を読み取れず、前記特定手段において当該表示記憶媒体に関連付けられた電子文書を特定できない場合に、前記制御手段は、前記記憶手段に記憶されている前記制御情報に基づいて、当該制御情報に該当する電子文書中の書込済のページに後続する所定数のページを書込対象とする制御を行うことを特徴とする書込装置である。
【００１４】
請求項８に記載の本発明は、画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行い、当該文書識別情報の読み取り結果に基づいて、書込対象となる電子文書中のページの画像を当該表示保持媒体の前記表示部に書き込む書込装置と通信する通信手段と、前記書込装置により前記所定位置に存する前記表示保持媒体の前記記憶部から読み取られた文書識別情報に基づいて、当該表示保持媒体に関連付けられた電子文書の特定を行う特定手段と、前記特定手段により特定された電子文書中の先頭から所定数のページを、前記書込み装置による前記所定位置に存する前記表示保持媒体への書込対象とする制御を行う制御手段と、前記書込装置により前記所定位置に存する前記表示保持媒体に書き込まれた電子文書中のページに後続するページを特定する制御情報を、当該書込装置を識別する装置識別情報と対応付けて記憶する記憶手段と、を備え、前記記憶部に前記文書識別情報が格納されていない前記表示保持媒体が前記書込装置の前記所定位置に提示され、前記書込装置において当該表示記憶媒体から前記文書識別情報を読み取れず、前記特定手段において当該表示記憶媒体に関連付けられた電子文書を特定できない場合に、前記制御手段は、前記記憶手段に当該書込装置の装置識別情報と対応付けて記憶されている前記制御情報に基づいて、当該制御情報に該当する電子文書中の書込済のページに後続する所定数のページを、当該書込装置による前記所定位置に存する前記表示保持媒体への書込対象とする制御を行うことを特徴とする管理装置である。
【００１５】
請求項９に記載の本発明は、画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行う読取手段と、当該文書識別情報の読み取り結果に基づいて、書込対象となる電子文書中のページの画像を当該表示保持媒体の前記表示部に書き込む書込手段と、を備えた書込装置のコンピュータに、前記読取手段による前記文書識別情報の読み取り結果に基づいて、前記所定位置に存する前記表示保持媒体に関連付けられた電子文書の特定を行う特定機能と、前記特定手段により特定された電子文書中の先頭から所定数のページを、前記所定位置に存する前記表示保持媒体への書込対象とする制御を行う制御機能と、前記書込手段により前記所定位置に存する前記表示保持媒体に書き込まれた電子文書中のページに後続するページを特定する制御情報を記憶する記憶機能と、を実現させるためのプログラムであって、前記記憶部に前記文書識別情報が格納されていない前記表示保持媒体が前記所定位置に提示され、前記読取手段において当該表示記憶媒体から前記文書識別情報を読み取れず、前記特定機能において当該表示記憶媒体に関連付けられた電子文書を特定できない場合に、前記制御機能は、前記記憶機能により記憶されている前記制御情報に基づいて、当該制御情報に該当する電子文書中の書込済のページに後続する所定数のページを書込対象とする制御を行うことを特徴とするプログラムである。
【００１６】
請求項１０に記載の本発明は、画像を無電源状態で表示保持し且つ当該画像を書換え可能な表示部と、自己に関連付けられた電子文書を識別する文書識別情報の格納領域を有する記憶部と、を備えた表示保持媒体が、前記表示保持媒体の提示先として定められた位置であって、前記表示部に画像を書き込み可能で且つ前記記憶部から有線又は無線の通信により情報を読み取り可能な所定位置に提示されたことに応じて、当該表示保持媒体の前記記憶部から前記文書識別情報の読み取りを行い、当該文書識別情報の読み取り結果に基づいて、書込対象となる電子文書中のページの画像を当該表示保持媒体の前記表示部に書き込む書込装置と通信する管理装置のコンピュータに、前記書込装置により前記所定位置に存する前記表示保持媒体の前記記憶部から読み取られた文書識別情報に基づいて、当該表示保持媒体に関連付けられた電子文書の特定を行う特定機能と、前記特定手段により特定された電子文書中の先頭から所定数のページを、前記書込み装置による前記所定位置に存する前記表示保持媒体への書込対象とする制御を行う制御機能と、前記書込装置により前記所定位置に存する前記表示保持媒体に書き込まれた電子文書中のページに後続するページを特定する制御情報を、当該書込装置を識別する装置識別情報と対応付けて記憶する記憶機能と、を実現させるためのプログラムであって、前記記憶部に前記文書識別情報が格納されていない前記表示保持媒体が前記書込装置の前記所定位置に提示され、前記書込装置において当該表示記憶媒体から前記文書識別情報を読み取れず、前記特定機能において当該表示記憶媒体に関連付けられた電子文書を特定できない場合に、前記制御機能は、前記記憶機能により当該書込装置の装置識別情報と対応付けて記憶されている前記制御情報に基づいて、当該制御情報に該当する電子文書中の書込済のページに後続する所定数のページを、当該書込装置による前記所定位置に存する前記表示保持媒体への書込対象とする制御を行うことを特徴とするプログラムである。
【発明の効果】
【００１７】
請求項１に記載の書込制御システムによると、表示保持媒体に応じて書込対象の電子文書及びページが切り替えられるため、複数のページを含む電子文書を表示保持媒体に書込表示させる場合における利用者の作業負担が軽減される。また、表示保持媒体に関連付けられた電子文書が特定されたときに、当該特定された電子文書のページ画像により当該表示保持媒体を書き換えることができるため、書込対象となる電子文書の切り替えのための利用者の作業負担が軽減される。
【００１９】
請求項２に記載の書込制御システムによると、電子文書中のページ画像を表示保持媒体に書込表示させる書込装置自身が、書込対象の電子文書及びページを制御することができる。
【００２０】
請求項３に記載の書込制御システムによると、電子文書中のページ画像を表示保持媒体に書込表示させる書込装置と通信する管理装置が、各書込装置による書込対象の電子文書及びページを制御することができる。
【００２１】
請求項４に記載の書込制御システムによると、電子文書中のページ画像が所定の表示形式で表示保持媒体に書込表示されるため、表示形式の指定に係る利用者の作業負担が軽減される。
【００２２】
請求項５に記載の書込制御システムによると、利用者は、電子文書中のページ画像が書込表示された表示保持媒体を見ることにより、当該電子文書中の未書込のページ画像の存在を把握することができる。
【００２３】
請求項６に記載の書込制御システムによると、利用者は、電子文書中のページ画像が書込表示された表示保持媒体を見ることにより、当該表示保持媒体に電子文書が関連付けられているか否かを把握することができる。
【００２４】
請求項７に記載の書込装置によると、当該書込装置が備えた機能により、表示保持媒体に応じて書込対象の電子文書及びページが切り替えられるため、複数のページを含む電子文書を表示保持媒体に書込表示させる場合における利用者の作業負担が軽減される。
【００２６】
請求項８に記載の管理装置によると、当該管理装置が備えた機能により、当該管理装置が通信する書込装置で書き込まれる表示保持媒体に応じて当該書込装置による書込対象の電子文書及びページが切り替えられるため、複数のページを含む電子文書を表示保持媒体に書込表示させる場合における利用者の作業負担が軽減される。
【００２７】
請求項９に記載のプログラムによると、当該プログラムを実行することで書込装置のコンピュータに実現される機能によって、表示保持媒体に応じて書込対象の電子文書及びページが切り替えられるため、複数のページを含む電子文書を表示保持媒体に書込表示させる場合における利用者の作業負担が軽減される。
【００２８】
請求項１０に記載のプログラムによると、当該プログラムを実行することで管理装置のコンピュータに実現される機能によって、当該管理装置が通信する書込装置における所定位置での表示保持媒体の検出により当該書込装置による書込対象の電子文書及びページが切り替えられるため、複数のページを含む電子文書を表示保持媒体に書込表示させる場合における利用者の作業負担が軽減される。
【発明を実施するための最良の形態】
【００２９】
まず、本発明に係る書込制御システムに用いることができる電子ペーパ（表示保持媒体）について説明する。
電子ペーパには、画像の書込方式で種々の形式があるが、ここでは、書込装置により電子的に画像が書き込まれる電子書込型と、書込装置により画像が投影されることで画像が書き込まれる２次元画像光を投影する光書込型とを説明する。
【００３０】
電子書込型電子ペーパは、例えばＡ４版の用紙のような大きさのフレキシブルな薄型媒体であり、複写機にトナーとして利用されている微細な着色粒子（例えば、白色粒子と黒色粒子）を少なくとも表面側が透明な表裏一対の電極間に封入し、これを少なくとも表面側が透明な表裏一対のフィルム基板で挟んだ構造となっている。着色粒子が自由に移動できるように電極層間は空気層となっており、また、マトリックス状の電極層には着色粒子との接触を防止する絶縁層が設けられている。なお、カラーフィルターを用いることにより、簡単な構造でカラー表示を実現することも可能である。
【００３１】
そして、電子書込型電子ペーパは、電極に電圧を印加していない状態では、負に帯電した白色粒子は裏面側に溜まる一方、正に帯電した黒色粒子は表面側に溜まり、表面側から目視すると黒色な状態となる。そして、書込装置の書込手段（ドライバ）が電子データに基づいて動作して表示する画像に応じたマトリックスの所要部の電極極性を反転させると、白色粒子と黒色粒子との位置関係が入れ替わって、白色粒子と黒色粒子とのコントラストによる画像が表示される。なお、異なる電子データに基づいて書込装置のドライバを動作させることにより、白色粒子と黒色粒子とのコントラストにより表示される画像を切り換えることができ、幾度も再使用することができる。
【００３２】
光書込型電子ペーパは、例えばＡ４版の用紙のような大きさのフレキシブルな薄型媒体であり、例えば、書込装置の書込手段（液晶パネル）に画像を表示し、電子ペーパの書込電極に外部の電源から電圧を印加しながら当該電子ペーパを液晶パネルに重ねて光を照射することにより、液晶パネルに表示させた画像を転写して表示記憶させることができ、書込電極に印加した電圧を除去した後も当該画像を表示状態で保持し続ける。
【００３３】
光書込型電子ペーパは、例えば、複写機に利用されている有機光導電性材料の層（有機光導電層）と液晶表示材料の層（マイクロカプセル化したコレステリック液晶層）とを組み合わせ、これら層を表裏一対の透明電極で挟み、この積層体を表裏一対の透明な基材フィルムで挟んだ構造となっている。なお、この構成では、コレステリック液晶層が光を反射する白表示と、光が液晶層を透過しコレステリック液晶層と有機光導電層との間に設けられた黒色層で吸収される黒表示のモノクロ画像表示が可能である。さらにコレステリック液晶には螺旋ピッチに応じたカラー光を干渉反射するという特性があるので、コレステリック液晶層を螺旋ピッチの異なる液晶を積層した構成にすることにより、簡単な構造でカラー表示を実現することも可能である。
【００３４】
図１は、本発明の一実施形態に係る書込制御システムの機能ブロック図である。
本例の書込制御システムは、電子ペーパ１、電子ペーパ１に電子文書のページ画像を書込表示させる書込装置２、電子文書のデータを保持する文書サーバ３、を備えており、書込装置２と文書サーバ３とはネットワークを介して互いに通信している。
【００３５】
電子ペーパ１は、画像を無電源状態で表示保持し且つ当該画像を書換え可能な表示部１２を媒体表面に形成すると共に、当該電子ペーパ１に係る情報を記憶する記憶部１１を媒体端部に設けている。
記憶部１１は、図２に示すように、電子ペーパ１を識別する「媒体ＩＤ」や「画素数」といった電子ペーパ１に固有な情報を格納する第１領域の他に、当該電子ペーパ１に関連付けられた電子文書を識別する「文書ＩＤ」や当該電子文書中のページ画像を表示する形式を特定する「表示形式」といった電子文書の関連付け等に応じて変更可能な情報を格納する第２領域を有している。なお、図２（ａ）は、第２領域に情報が格納されていない状態、つまり、電子文書が関連付けられていない電子ペーパ１について例示しており、同図（ｂ）は、第２領域に情報が格納されている状態、つまり、電子文書が関連付けられている電子ペーパ１について例示している。
【００３６】
書込装置２は、電子ペーパ１の表示部１２に電子文書のページ画像を書き込む書込手段２２、電子ペーパ１の記憶部１１から情報を読み取る読取手段２１、電子ペーパ１に関連付けられた電子文書等を特定する特定手段２３、電子ペーパ１への画像書き込みを制御する制御手段２４、書き込み制御に用いる制御情報を記憶する制御情報記憶手段２５、他の装置と通信するための通信手段２６、制御情報記憶手段２５に記憶されている制御情報を更新する更新手段２７、を備えている。
【００３７】
なお、本例では、２次元画像投影型の光書込型の電子ペーパ１を採用していることから、ページ画像を電子ペーパ１の表示部１２に投影する液晶パネルにより書込手段２２を構成しているが、他の書込形式の電子ペーパ１を採用する場合には、その書込形式に応じた書込手段２２を構成すればよい。
【００３８】
制御情報記憶手段２５に記憶される制御情報は、図３にデータ例を示すように、当該書込装置２による書込対象の電子文書を識別する「文書ＩＤ」、当該電子文書中の未書込のページを特定する「書込ページ」、当該電子文書中のページ画像を表示する形式（例えば、カラー／モノクロ表示、画像サイズの変換率、１枚の電子ペーパに表示させるページ数など）を特定する「表示形式」、を有している。
なお、「書込ページ」として、本例では、「文書ＩＤ」に対応する電子文書について最後に書き込んだページのページ番号を設定してあるが、例えば、未だ書き込んでいないページのうち先頭のページ番号を設定したり、各ページ毎に書込済か否かを示すフラグを設定したりしてもよく、当該電子文書中の未書込のページを特定可能な情報が設定されればよい。
【００３９】
書込装置２の読取手段２１及び書込手段２２は、図４に書込装置２の装置外観を示すように、電子ペーパ１の記憶部１１及び表示部１２の配置に対応して設けられている。
本例では、電子ペーパ１の表示部１２を書込手段２２（液晶パネル）に重ねつつ電子ペーパ１の記憶部１１を読取手段２１側に向けて配置されたことに応じて、読取手段２１が当該電子ペーパ１の記憶部１１から無線通信（又は有線通信）により情報を読み取っているが、電子ペーパ１が翳されたことに応じて無線通信により情報を読み取るようにしてもよい。また、複数枚の電子ペーパがスタックされるトレイから電子ペーパを引き出し、書込位置へと搬送して書き込む機構を有する場合には、搬送経路に情報の読取装置が設けられてもよい。
【００４０】
本例の書込制御システムによる書込制御処理を、図５に示す処理フローを参照して説明する。
利用者により電子ペーパ１が書込装置２に提示されたことに応じて、書込装置２の読取手段２１が、当該電子ペーパ１の記憶部１１に格納されている情報を読み取り（ステップＳ１）、特定手段２３が、当該電子ペーパ１に関連付けられた電子文書の特定を行う（ステップＳ２）。つまり、電子ペーパ１の記憶部１１に「文書ＩＤ」が格納されている場合には当該「文書ＩＤ」に対応する電子文書が特定される一方、「文書ＩＤ」が格納されていない場合には電子文書が特定されない。また、特定手段２３は、当該電子文書中のページ画像の表示形式の特定についても同様に行う。
【００４１】
電子ペーパ１に関連付けられた電子文書が特定された場合には、更新手段２７が、制御情報記憶手段２５に記憶されている制御情報を更新する（ステップＳ３）。具体的には、電子ペーパ１の記憶部１１から読み取った「文書ＩＤ」及び「表示形式」で、制御情報の「文書ＩＤ」及び「表示形式」を更新すると共に、制御情報の「書込ページ」をリセットする。
【００４２】
そして、制御手段２４が、情報記憶手段２５に記憶されている制御情報に基づいて書込対象のページを特定する（ステップＳ４）。つまり、提示された電子ペーパ１に関連付けられた電子文書中のページが書込対象として特定される。なお、一般には当該電子文書中の１ページ目が特定されるが、例えば、制御情報の「表示形式」として、１枚の電子ペーパにＮページを表示させることを示す情報が設定されている場合には、当該電子文書中の１〜Ｎページ目が特定される。
【００４３】
制御手段２４は、前記特定した書込対象のページ画像を文書サーバ３に要求して取得する（ステップＳ５）。なお、ページ画像は、制御情報の「表示形式」に従って生成される。ここで、本例では、文書サーバ３がページ画像を生成しているが、書込装置２自身にページ画像の生成機能を設けてもよい。また、本例では、書込対象のページを特定する都度そのページ画像を生成しているが、電子ペーパ１に関連付けられた電子文書を特定した際に、当該電子文書中の全ページの画像を予め生成しておくようにしてもよい。
【００４４】
その後、制御手段２４は、前記取得した書込対象のページ画像を書込手段２２に供給し、電子ペーパ１の表示部１２に当該ページ画像を書き込み表示させる（ステップＳ６）。また、電子ペーパ１へのページ画像の書き込みに応じて、更新手段２７が、制御情報記憶手段２５に記憶されている制御情報を更新する（ステップＳ７）。すなわち、当該電子ペーパ１に関連付けられている電子文書中の１ページ目（又は１〜Ｎページ目）が書込済として、制御情報の「書込ページ」が更新される。
【００４５】
一方、ステップＳ２で電子文書が特定されなかった場合には、ステップＳ３における制御情報の更新処理が省かれて、前回の画像書き込みに係る電子文書中の未書込のページが、ステップＳ４において書込対象のページとして特定される。
つまり、制御手段２４が、情報記憶手段２５に記憶されている制御情報に基づいて書込対象のページ（前回の画像書き込みに係る電子文書中の未書込のページ）を特定し、当該特定した書込対象のページ画像を書込手段２２により電子ペーパ１の表示部１２に書き込み表示させる。また、電子ペーパ１へのページ画像の書き込みに応じて、更新手段２７が、制御情報記憶手段２５に記憶されている制御情報を更新する。
【００４６】
このように、電子文書が関連付けられている電子ペーパ１を書込装置２に提示する（配置する又は翳す）ことで、当該書込装置２による書込対象の電子文書が切り替えられて、当該電子文書中のページ画像が当該電子ペーパ１に書き込まれ、電子文書が関連付けられていない電子ペーパ１を書込装置２に提示することで、当該書込装置２が前回書き込んだ電子文書中の続き（未書込）のページ画像が当該電子ペーパ１に書き込まれる。
【００４７】
つまり、図６に示すように、例えば文書ＩＤ（ＵＵＩＤ）に“１”が設定されている電子ペーパ１ａが提示されると、当該文書ＩＤに該当する電子文書の１ページ目のページ画像が当該電子ペーパ１ａに書き込み表示され、これに続けて文書ＩＤが設定されていない電子ペーパ１ｂが提示されると、前回書き込んだ電子文書（文書ＩＤ＝“１”）の続きである２ページ目のページ画像が当該電子ペーパ１ｂに書き込み表示される。そして、当該電子文書に３ページ以降が存在するとしても、文書ＩＤに“２”が設定されている電子ペーパ１ｃが提示された場合には、当該文書ＩＤに該当する電子文書の１ページ目のページ画像が当該電子ペーパ１ｃに書き込み表示されることになる。
【００４８】
なお、電子文書の特定されていない電子ペーパだけを使って電子文書のページの連続書き込みを行いたい、あるいは、或る電子文書については関連付けられていてもその時点で電子ペーパにページ画像の書き込みをしたくない、といった場合が考えられる。このような場合には、電子ペーパ１に関連付けられた電子文書が特定された場合であっても、ステップＳ３の制御情報の更新とステップＳ６のページ画像の書き込みを行わずに、例えば電子文書が関連付けられた電子ペーパであることを警告し、別の電子ペーパをセットするように促す表示をすることにより、通常の電子文書のページの連続書き込みの作業負担の軽減の効果を得ることもできる。
【００４９】
図７は、「表示形式」に、書込対象ページの前後にページが存在することを示す画像を書込対象のページ画像に含めることが設定されている場合の表示例を示している。
図７（ａ）は、代表ページ（先頭ページ）のページ画像が書き込まれた電子ペーパ１を示しており、電子ペーパ１の右下隅に次ページの存在を示す画像Ｍｂが表示されている。同図（ｂ）は、中間ページのページ画像が書き込まれた電子ペーパ１を示しており、電子ペーパ１の左下隅に前ページの存在を示す画像Ｍａが表示され、右下隅に次ページの存在を示す画像Ｍｂが表示されている。同図（ｃ）は、最終ページのページ画像が書き込まれた電子ペーパ１を示しており、電子ペーパ１の左下隅に前ページの存在を示す画像Ｍａが表示されている。
なお、同図では、前ページ又は後ページの存在を示す画像Ｍｂとして、そのページを縮小した画像を用いているが、例えば、前ページ又は後ページを意味する文字列や記号の画像、これを抽象化した図形の画像など、利用者が前ページ又は後ページの存在を認識可能な画像であればよい。
【００５０】
図８は、「表示形式」に、電子ペーパ１に電子文書が関連付けられているか否かを示す画像を書込対象のページ画像に含めることが設定されている場合の表示例を示している。
図８（ａ）は、電子文書が関連付けられている電子ペーパ１、すなわち代表ページ（先頭ページ）のページ画像が書き込まれた電子ペーパ１を示しており、電子ペーパ１の左上隅に代表ページであることを示す画像Ｍｃが表示されている。同図（ｂ）及び（ｃ）は、電子文書が関連付けられていない電子ペーパ１、すなわち中間ページ又は末尾ページのページ画像が書き込まれた電子ペーパ１を示しており、電子ペーパ１の左上隅に代表ページでないことを示す画像Ｍｄが表示されている。
なお、同図では、代表ページを示す画像Ｍｃとして、電子文書中の他のページの縮小画像の一覧を用いているが、例えば、電子文書が含むページ数を示す画像、電子文書のファイル名を示す画像、作成者や作成年月日を示す画像、電子文書を特定する二次元バーコード画像など、利用者が代表ページであることを認識可能な画像であればよい。
【００５１】
ここで、本例では、電子ペーパ１の記憶部１１に、当該電子ペーパ１に関連付けられた電子文書の識別情報（文書ＩＤ）や表示形式を記憶させる場合について説明したが、図９に示すように、電子ペーパ１の識別情報（媒体ＩＤ）と当該電子ペーパ１に関連付けられた電子文書の識別情報（文書ＩＤ）とを関連付けた関連情報の記憶手段を書込装置２又は他の装置に設けておき、電子ペーパ１から読み取った当該電子ペーパ１の識別情報に基づいて、当該電子ペーパ１に関連付けられた電子文書を特定するようにしてもよい。
【００５２】
図１０は、本例の書込装置２の主要なハードウェア構成を示している。
すなわち、本例の書込装置２は、各種演算処理を行うＣＰＵ、ＣＰＵの作業領域となるＲＡＭ、基本的な制御プログラムを記憶するＲＯＭ、本発明に係る機能を実現するためのプログラム等を記憶するＨＤＤ、他の装置との間で通信を行うインターフェースである通信Ｉ／Ｆ、等のハードウェア資源を有するコンピュータで構成されている。
そして、本発明に係るプログラムをＨＤＤから読み出してＲＡＭに展開し、これをＣＰＵにより実行させることで、本発明に係る記憶機能（制御情報記憶手段２５）、特定機能（特定手段２３）、制御機能（制御手段２４）、更新機能（更新手段２７）を、書込装置２のコンピュータに実現している。
【００５３】
なお、本発明に係るプログラムは、例えば、当該プログラムを記憶したＣＤ−ＲＯＭ等の外部記憶媒体を配布する形式や、ネットワークを介して配信する形式により、本発明の実施者に提供される。
また、本発明に係る書込装置２の各機能手段は、本例のようなソフトウェア構成により実現する態様に限られず、それぞれ専用のハードウエアモジュールで構成してもよい。
また、本発明に係る書込装置２の各機能手段は、本例のように１台のコンピュータに設ける態様に限られず、複数台のコンピュータに分散して設けてもよい。
【００５４】
図１１は、本発明の他の実施形態に係る書込制御システムの機能ブロック図である。
本例の書込制御システムは、電子ペーパ１、電子ペーパ１に電子文書のページ画像を書込表示させる書込装置２、電子文書のデータを保持する文書サーバ３に加えて、書込装置２を管理する管理装置４、を備えている。
【００５５】
本例の書込制御システムでは、書込装置２が図１の書込制御システムに係る特定手段２３、制御手段２４、制御情報記憶手段２５、更新手段２７を備えていない代わりに、管理装置４が、これらに相当する特定手段４２、制御手段４３、制御情報記憶手段４４、更新手段４５を備えている。なお、制御情報記憶手段４４は、図１２に示すように、書込装置２の識別情報（書込装置ＩＤ）と当該書込装置２に係る制御情報とを対応付けて記憶することで、制御情報を書込装置２毎に管理している。
【００５６】
本例の書込制御システムによると、利用者により電子ペーパ１が書込装置２に提示されたことに応じて、当該電子ペーパ１の記憶部１１に格納されている情報が読取手段２１により読み取られて、通信手段２６により管理装置４に送信される。
管理装置４は、通信手段４１により前記書込装置２から読み取り情報を受信すると、特定手段４２が、当該書込装置２に提示された電子ペーパ１に関連付けられた電子文書の特定を行う。
【００５７】
電子ペーパ１に関連付けられた電子文書が特定された場合には、更新手段４５が、制御情報記憶手段４４に記憶されている当該書込装置２に係る制御情報を更新し、制御手段４３が、情報記憶手段４４に記憶されている当該書込装置２に係る制御情報に基づいて当該書込装置２による書込対象のページを特定し、当該特定した書込対象のページ画像を当該書込装置２により電子ペーパ１の表示部１２に書き込み表示させる。また、書込装置２による電子ペーパ１へのページ画像の書き込みに応じて、更新手段４５が、制御情報記憶手段４４に記憶されている当該書込装置２に係る制御情報を更新する。
【００５８】
一方、電子ペーパ１に関連付けられた電子文書が特定されなかった場合には、制御手段４３が、情報記憶手段４４に記憶されている当該書込装置２に係る制御情報に基づいて当該書込装置２による書込対象のページ（前回の画像書き込みに係る電子文書中の未書込のページ）を特定し、当該特定した書込対象のページ画像を当該書込装置２により電子ペーパ１の表示部１２に書き込み表示させる。また、書込装置２による電子ペーパ１へのページ画像の書き込みに応じて、更新手段４５が、制御情報記憶手段４４に記憶されている当該書込装置２に係る制御情報を更新する。
【００５９】
ここで、本例の管理装置４は、図１に係る書込制御システムの書込装置２について図９に示したハードウェア構成と同様に、ＣＰＵ、ＲＡＭ、ＲＯＭ、ＨＤＤ、通信Ｉ／Ｆ、等のハードウェア資源を有するコンピュータで構成されており、これらハードウェア資源を用いて本発明に係るプログラムを実行させることで、本発明に係る記憶機能（制御情報記憶手段４４）、特定機能（特定手段４２）、制御機能（制御手段４３）、更新機能（更新手段４４）を、管理装置４のコンピュータに実現している。
【００６０】
なお、本発明に係るプログラムは、例えば、当該プログラムを記憶したＣＤ−ＲＯＭ等の外部記憶媒体を配布する形式や、ネットワークを介して配信する形式により、本発明の実施者に提供される。
また、本発明に係る管理装置４の各機能手段は、本例のようなソフトウェア構成により実現する態様に限られず、それぞれ専用のハードウエアモジュールで構成してもよい。
また、本発明に係る管理装置４の各機能手段は、本例のように１台のコンピュータに設ける態様に限られず、複数台のコンピュータに分散して設けてもよい。
【００６１】
次に、本発明に係る書込制御の前段階として行われる、電子文書と電子ペーパ１との関連付け作業を説明する。
例えば、図１３に示すように、電子文書と関連付けられていない電子ペーパ１（例えば、電子文書の識別情報が記憶部１１に格納されていない電子ペーパ１）が書込装置２に配置された状態で、携帯電話等の利用者端末５を利用者が操作して電子文書を指定すると、書込装置２により当該電子文書中のページ画像が電子ペーパ１の表示部１２に書き込み表示されると共に、書込装置２により当該電子文書の識別情報が電子ペーパ１の記憶部１１に格納される。
つまり、書込装置２を利用して電子文書と電子ペーパ１との関連付けを行うことで、そのページ画像を電子ペーパ１に表示させることができるため、利用者は、電子文書が電子ペーパ１に関連付けされたことを当該電子ペーパ１の表示を見て確認することができる。
なお、これに伴って当該書込装置２に係る制御情報が更新され、その後、電子文書と関連付けられていない電子ペーパ１が書込装置２に配置されると、その続きのページ画像が当該電子ペーパ１に書き込み表示される。
【００６２】
また例えば、図１４に示すように、利用者端末６に、電子ペーパ１の記憶部１１にアクセスするアクセス装置６ａを設けておき、利用者端末６を利用者が操作して電子文書を指定すると、アクセス装置６ａにより当該電子文書の識別情報が電子ペーパ１の記憶部１１に格納される。
また例えば、図１５に示すように、電子文書が関連付けられた電子ペーパ１ｄと、電子文書が関連付けられていない電子ペーパ１ｅとを重ねて書込装置２やアクセス装置６ａに提示することにより、電子ペーパ１ｄに関連付けられた電子文書の識別情報が、電子ペーパ１ｅに複写される。
【図面の簡単な説明】
【００６３】
【図１】本発明の一実施形態に係る書込制御システムの機能ブロック図である。
【図２】本発明の一実施形態に係る電子ペーパの記憶部のデータ例を示す図である。
【図３】本発明の一実施形態に係る制御情報記憶手段のデータ例を示す図である。
【図４】本発明の一実施形態に係る書込装置の外観を示す図である。
【図５】本発明の一実施形態に係る書込制御の処理フロー図である。
【図６】本発明の一実施形態に係る書込制御システムによる書込例を示す図である。
【図７】本発明の一実施形態に係る書込制御システムによる書込例を示す図である。
【図８】本発明の一実施形態に係る書込制御システムによる書込例を示す図である。
【図９】本発明の一実施形態に係る関連情報のデータ例を示す図である。
【図１０】本発明の一実施形態に係る書込装置のハードウェア構成図である。
【図１１】本発明の他の実施形態に係る書込制御システムの機能ブロック図である。
【図１２】本発明の他の実施形態に係る制御情報記憶手段のデータ例を示す図である。
【図１３】本発明に係る電子文書と電子ペーパの関連付け作業の一例を説明する図である。
【図１４】本発明に係る電子文書と電子ペーパの関連付け作業の他の例を説明する図である。
【図１５】本発明に係る電子文書と電子ペーパの関連付け作業の更に他の例を説明する図である。
【符号の説明】
【００６４】
１：電子ペーパ、
２：書込装置、
３：文書サーバ、
４：管理装置、
１１：記憶部、
１２：表示部、
２１：読取手段、
２２：書込手段、
２３、４２：特定手段、
２４、４３：制御手段、
２５、４４：制御情報記憶手段、
２６、４１：通信手段、
２７、４５：更新手段
【図１】
0005358920.tif 000002
【図２】
0005358920.tif 000003
【図３】
0005358920.tif 000004
【図４】
0005358920.tif 000005
【図５】
0005358920.tif 000006
【図６】
0005358920.tif 000007
【図７】
0005358920.tif 000008
【図８】
0005358920.tif 000009
【図９】
0005358920.tif 000010
【図１０】
0005358920.tif 000011
【図１１】
0005358920.tif 000012
【図１２】
0005358920.tif 000013
【図１３】
0005358920.tif 000014
【図１４】
0005358920.tif 000015
【図１５】
0005358920.tif 000016